(57)【要約】【課題】搬入及び設置を容易にする。【解決手段】証明書発行装置３が、証明書を発行するためのレーザプリンタ３１を収容している。操作端末２が、利用者のＩＤカードの内容を読み出すカードリーダ２１と、利用者が所望の証明書を選択するためのタッチパネルディスプレイ２２とを有している。さらに、操作端末２が、カードリーダ２１が読み出したＩＤカードの内容に基づいて利用者を識別する利用者識別部２６と、利用者識別部２６に識別された利用者に係るタッチパネルディスプレイ２２において選択された証明書の発行を証明書発行装置３に指示する指示部２８とを有している。操作端末２と証明書発行装置３とが別体となっている。【選択図】図２
2007094705.tif 000002
【特許請求の範囲】
【請求項１】
利用者を識別する利用者識別手段と、
前記利用者が所望の証明書を選択するための証明書選択手段と、
前記利用者識別手段によって識別された利用者に係る前記証明書選択手段によって選択された証明書の発行を指示する指示手段と、
前記指示手段によって指示された証明書を発行する発行手段とを備えており、
前記発行手段が、前記利用者識別手段及び前記指示手段から独立した筐体に収納されていることを特徴とする証明書発行システム。
【請求項２】
証明書発行に関する精算処理を行う精算処理手段をさらに備えていることを特徴とする請求項１に記載の証明書発行システム。
【請求項３】
前記利用者識別手段、前記指示手段及び前記精算処理手段を含む操作端末を複数有していることを特徴とする請求項２に記載の証明書発行システム。
【請求項４】
前記利用者識別手段及び前記指示手段を含む操作端末を複数有していることを特徴とする請求項１に記載の証明書発行システム。
【請求項５】
前記操作端末が、
前記利用者が所望の情報を選択するための情報選択手段と、
前記選択手段によって選択された情報を印刷する印刷手段をさらに有していることを特徴とする請求項３又は４に記載の証明書発行システム。
【発明の詳細な説明】
【技術分野】
【０００１】
本発明は、各種証明書を発行する証明書発行システムに関する。
【背景技術】
【０００２】
市役所における印鑑証明書や大学における在学証明書など各種証明書を発行するための証明書発行システムが知られている（例えば、特許文献１参照）。この証明書発行システムは、利用者が画面上の操作に従って操作することにより、所望の証明書が発行される。そして、この証明書発行システムは、証明書となる専用用紙に記載事項を印刷するレーザプリンタを有している。このレーザプリンタが、証明書発行システムの筐体内に収容されて一体となっている。
【０００３】
【特許文献１】特開平７−０６５２１９号公報（図３）
【発明の開示】
【発明が解決しようとする課題】
【０００４】
証明書発行システムが有するレーザプリンタは、専用用紙に高品位な印刷を施すことが可能な大型のものである。また、専用用紙の不正利用を防止するために、証明書発行システムの筐体全体を強固なものとする必要がある。このため、証明書発行システム全体の寸法及び重量が大きくなり、証明書発行システムの搬入及び設置に大きな労力が必要になる。
【０００５】
そこで、本発明の主たる目的は、搬入及び設置が容易な証明書発行システムを提供することである。
【課題を解決するための手段及び効果】
【０００６】
本発明の証明書発行システムは、利用者を識別する利用者識別手段と、前記利用者が所望の証明書を選択するための証明書選択手段と、前記利用者識別手段によって識別された利用者に係る前記証明書選択手段によって選択された証明書の発行を指示する指示手段と、前記指示手段によって指示された証明書を発行する発行手段とを備えている。そして、前記発行手段が、前記利用者識別手段及び前記指示手段から独立した筐体に収納されている。
【０００７】
本発明によると、発行手段が利用者識別手段及び指示手段から独立した筐体に収納されることによって、利用者識別手段及び指示手段と発行手段とが分離される。これにより、利用者識別手段及び指示手段と発行手段とを個別に搬入及び設置することができる。したがって、証明書発行システムの搬入及び設置が容易になる。また、証明書発行システムの配置の自由度が向上する。さらに、発行手段のみを他の場所に設置することができるため、発行手段のセキュリティを容易に向上させることができる。
【０００８】
本発明においては、証明書発行に関する精算処理を行う精算処理手段をさらに備えていることが好ましい。これによると、証明書発行に係る精算処理を行うことができるため、迅速に証明書を発行することができる。
【０００９】
このとき、前記利用者識別手段、前記指示手段及び前記精算処理手段を含む操作端末を複数有していることがより好ましい。これによると、操作端末を複数有しているため、利用者が、複数の場所で証明書を発行するための操作を行うことができる。これにより、証明書発行に係る利便性が向上する。
【００１０】
また、本発明においては、前記利用者識別手段及び前記指示手段を含む操作端末を複数有していてもよい。これによると、操作端末を複数有しているため、利用者が、複数の場所で証明書を発行するための操作を行うことができる。さらに、操作端末が前記利用者識別手段及び前記指示手段を備えていればよいため、操作端末をコンパクトなものとすることができる。
【００１１】
さらに、本発明においては、前記操作端末が、前記利用者が所望の情報を選択するための情報選択手段と、前記選択手段によって選択された情報を印刷する印刷手段をさらに有していることが好ましい。これによると、操作端末を情報端末として利用することができる。
【発明を実施するための最良の形態】
【００１２】
以下、本発明の好適な実施の形態について、図面を参照しつつ説明する。図１は、本発明の好適な実施の形態に係る証明書発行システムの概略構成図である。図２は、証明書発行システム１の機能ブロック図である。図１及び図２に示すように、証明書発行システム１は、複数の操作端末２と証明書発行装置３とを有している。つまり、操作端末２と証明書発行装置３とが別体となっている。証明書発行システム１は、大学の構内に設置されており、利用者である学生に操作されることによって、在学証明書や成績証明書など複数種類の証明書を発行することができるものである。
【００１３】
各操作端末２は、利用者が証明書発行システム１を操作するためのものであり、大学構内の任意の場所に設置されている。また、後述するように、操作端末２は、講義スケジュールや構内案内地図などの各種サービス情報を印刷することができる情報端末としても機能することができる。証明書発行装置３は、操作端末２が操作されることによって証明書を発行するものであり、教務課の室内などに設置されている。そして、複数の操作端末２及び証明書発行装置３は、大学内に構築されたＬＡＮ（Local Area Network）１０にそれぞれ独立に接続されている。また、ＬＡＮ１０には、証明書発行システム１が発行可能な証明書に関する情報、及び、講義スケジュールや構内案内地図などの各種サービス情報を含むデータベース４が接続されている。後述するように、複数の操作端末２は、データベース４の情報を参照することができる。
【００１４】
次に、操作端末２について詳細に説明する。操作端末２は、カードリーダ２１と、タッチパネルディスプレイ（証明書選択手段、情報選択手段）２２と、精算処理装置２３と、インクジェットプリンタ（印刷手段）２４と、制御部２５とを有している。カードリーダ２１は、利用者が所持するＩＤカードの内容を読み出すものである。タッチパネルディスプレイ２２は、表示部と、表示部に表示された内容を選択することができるセンサとを有するものである。精算処理装置２３は、証明書発行の際に現金で精算処理を行うためのものである。インクジェットプリンタ２４は、講義スケジュールや構内案内地図などの各種サービス情報を印刷するための小型のプリンタである。
【００１５】
制御部２５は、カードリーダ２１、タッチパネルディスプレイ２２、精算処理装置２３及びインクジェットプリンタ２４を制御するものである。また、制御部２５は、図示しないＣＰＵ（Central Processing Unit）と、ＲＯＭ（Read Only Memory）と、ＲＡＭ（Random Access Memory）とを有している。ＣＰＵは各種コマンドを実行するものである。ＲＯＭは、ＣＰＵが実行すべきコマンド群からなるプログラムを記憶するものである。ＲＡＭは、ＣＰＵがプログラムを実行する際に使用される揮発性メモリである。そして、ＣＰＵ、ＲＯＭ及びＲＡＭが一体的に機能することによって、利用者識別部２６、表示制御部２７、指示部２８及び通信部２９を実現する。
【００１６】
利用者識別部２６は、カードリーダ２１が読み出したＩＤカードの内容と、データベース４の内容とを参照して当該ＩＤカードに係る利用者を識別するものである。表示制御部２７は、タッチパネルディスプレイ２２を制御するものである。具体的には、利用者が所望の証明書を選択するときに、タッチパネルディスプレイ２２の表示部に発行可能な証明書の一覧を表示させる。また、利用者がサービス情報を選択するときに、タッチパネルディスプレイ２２の表示部に印刷可能なサービス情報の一覧を表示させる。また、表示制御部２７は、利用者が、タッチパネルディスプレイ２２に表示されたサービス情報の一覧から所望のサービス情報を選択したときは、選択されたサービス情報の内容をデータベース４から取得してインクジェットプリンタ２４に送信する。このとき、インクジェットプリンタ２４が受信したサービス情報の印刷を行う。
【００１７】
指示部２８は、利用者が、タッチパネルディスプレイ２２に表示された証明書の一覧から所望の証明書を選択したときに、利用者識別部２６によって識別された利用者に係る所望の証明書の発行を証明書発行装置３に指示するものである。通信部２９は、ＬＡＮ１０に接続された他の装置との間で通信を行うためのものである。なお、通信部２９はイーサネット（登録商標）を実現する機能を有しており、ＬＡＮ１０内において、他の装置との間でＴＣＰ／ＩＰなどのパケット通信プロトコルを用いた通信が可能となっている。
【００１８】
次に、証明書発行装置３について説明する。証明書発行装置３は、操作端末２の指示部２８からの指示に基づいて各種証明書を発行するものである。また、証明書発行装置３は、レーザプリンタ（発行手段）３１と、通信部３２とを有している。通信部３２は、ＬＡＮ１０に接続された他の装置との間で通信を行うためのものである。なお、通信部３２は通信部２９と同様にイーサネットを実現する機能を有しており、ＬＡＮ１０内において、他の装置との間でＴＣＰ／ＩＰなどのパケット通信プロトコルを用いた通信が可能となっている。レーザプリンタ３１は、通信部３２が操作端末２の指示部２８からの指示を受信したときに、その指示内容に基づいて証明書となる専用用紙に印刷を施すものである。また、証明書発行装置３においては、レーザプリンタ３１が強固な鍵付きの筐体に収容されている。これにより、レーザプリンタ３１に収容されている専用用紙が部外者に取り出されるのを防止することができる。
【００１９】
次に、証明書発行システム１の処理手順について説明する。まず、利用者が所望の証明書の発行を希望するときは、最寄りの操作端末２において、自己のＩＤカードをカードリーダ２１に挿入する。カードリーダ２１にＩＤカードが挿入されると、カードリーダ２１がＩＤカードの内容を読み出す。カードリーダ２１がＩＤカードの内容を読み出すと、利用者識別部２６が、通信部２９を介してデータベース４の内容を参照し、カードリーダ２１が読み取ったＩＤカードの内容を照らし合わせて当該ＩＤカードに係る利用者を識別する。
【００２０】
そして、表示制御部２７が、利用者識別部２６に識別された利用者が発行可能な証明書の一覧をタッチパネルディスプレイ２２に表示させる。そして、利用者が、タッチパネルディスプレイ２２に表示された証明書の一覧から所望の証明書を選択すると、タッチパネルディスプレイ２２に当該証明書に係る料金などの精算情報を表示させる。利用者は、タッチパネルディスプレイ２２に表示された精算情報に基づいて、精算処理装置２３に現金を投入して精算処理を完了させる。精算処理が完了すると、指示部２８が、通信部２９を介して利用者に選択された所望の証明書の発行を証明書発行装置３に指示する。証明書発行装置３が通信部３２を介して、指示部２８からの当該証明書の発行の指示を受信すると、レーザプリンタ３１が当該証明書を印刷する。利用者は、教務課に赴いて証明書発行装置３が発行した証明書を受け取る。
【００２１】
また、利用者が所望のサービス情報の印刷を希望するときは、最寄りの操作端末２において、利用者が、表示制御部２７がタッチパネルディスプレイ２２に表示させている印刷可能なサービス情報の一覧から所望のサービス情報を選択する。利用者がサービス情報を選択すると、選択されたサービス情報をデータベース４から取得する。そして、インクジェットプリンタ２４が取得したサービス情報を印刷する。利用者は、操作端末２からサービス情報が印刷された印刷物を取り出す。
【００２２】
以上説明した本実施の形態によると、証明書発行システム１が、操作端末２と証明書発行装置３とに分離されているため、これらを個別に搬入及び設置することができる。これにより、証明書発行システム１の搬入及び設置が容易になる。また、操作端末２と証明書発行装置３とを個別に設置することができるため、証明書発行システム１の配置の自由度が向上する。さらに、証明書発行装置３のみが教務課に設置されているため、レーザプリンタ３１のセキュリティが向上する。
【００２３】
また、操作端末２が、証明書発行に関する精算処理を行う精算処理装置２３を有しているため、操作端末２において迅速に証明書を発行することができる。
【００２４】
さらに、証明書発行システム１が、ＬＡＮ１０に接続された複数の操作端末２を有しているため、利用者が、複数の場所で証明書の発行操作を行うことができる。これにより、証明書発行に係る利便性が向上する。
【００２５】
加えて、操作端末２において、表示制御部２７がタッチパネルディスプレイ２２に印刷可能なサービス情報の一覧を表示させ、インクジェットプリンタ２４がタッチパネルディスプレイ２２において利用者に選択された所望のサービス情報を印刷するため、操作端末２を、サービス情報を印刷可能な情報端末として利用することができる。
【００２６】
なお、本実施の形態においては、操作端末２が現金で精算処理を行うことができる精算処理装置２３を有する構成であるが、このような構成に限定されるものではない。例えば、精算処理装置が、クレジットカードや金券などで精算処理を行うことができる構成であってよい。また、図３に示すように、操作端末１０２が精算処理装置２３を有さない構成であってもよい。これによると、操作端末２をよりコンパクトに、且つ、より低コストなものとすることができる。
【００２７】
以上、本発明の好適な一実施の形態について説明したが、本発明はその趣旨を超えない範囲において変更が可能である。即ち、上述の実施の形態においては、証明書発行システム１が操作端末２を複数有する構成であるが、証明書発行システム１が操作端末２を１つだけ有する構成であってもよい。
【００２８】
また、上述の実施の形態においては、操作端末２の表示制御部２７がタッチパネルディスプレイ２２に印刷可能なサービス情報の一覧を表示させ、インクジェットプリンタ２４がタッチパネルディスプレイ２２において利用者に選択された所望のサービス情報を印刷可能となっていることにより、操作端末２がサービス情報を印刷可能な情報端末として機能する構成であるが、操作端末がサービス情報を印刷しない構成であってもよいし、操作端末が情報端末として機能しない構成であってもよい。この場合、操作端末がインクジェットプリンタ２４を有さない構成となるため、操作端末をよりコンパクトに、且つ、より低コストなものとすることができる。
【００２９】
さらに、上述の実施の形態においては、操作端末２と証明書発行装置３とがＬＡＮ１０に接続されることによって互いに通信可能な構成となっているが、操作端末２と証明書発行装置３とが直接接続されることによって通信可能な構成となっていてもよい。また、操作端末２と証明書発行装置３とが無線で通信可能な構成となっていてもよい。
【００３０】
また、上述の実施の形態においては、操作端末２と証明書発行装置３とが異なる場所に設置されているが、これらは同じ場所に設置されてもよい。
【００３１】
加えて、上述の実施の形態においては、証明書発行システム１が、大学の構内に設置されており、利用者である学生に操作されることによって、在学証明書や成績証明書など複数種類の証明書を発行することができる構成であるが、証明書発行システム１は、各種証明書を発行する必要がある他の施設内に設置されてもよい。例えば、証明書発行システム１が、市役所や区役所などに設置されており、利用者に操作されることによって、印鑑証明書や住民票などの証明書を発行することができる構成であってもよい。
【図面の簡単な説明】
【００３２】
【図１】本発明に係る実施の形態である証明書発行システムの概略構成図である。
【図２】図１に示す証明書発行システムの機能ブロック図である。
【図３】本発明に係る実施の形態の変形例を説明するための図である。
【符号の説明】
【００３３】
１     証明書発行システム
２     操作端末
３     証明書発行装置
４     データベース
２１   カードリーダ
２２   タッチパネルディスプレイ
２３   精算処理装置
２４   インクジェットプリンタ
２５   制御部
２６   利用者識別部
２７   表示制御部
２８   指示部
２９   通信部
３１   レーザプリンタ
３２   通信部
【図１】
2007094705.tif 000003
【図２】
2007094705.tif 000004
【図３】
2007094705.tif 000005